(57)【特許請求の範囲】
【請求項１】
前後幅とこの前後幅よりも小さい左右幅とを有する外形が直方体形状の温水装置の包装構造であって、前記温水装置を載置固定する為のパレット部材と、温水装置の上部を覆う天部材とを有する温水装置の包装構造において、
前記パレット部材は、前記温水装置の左右幅よりも左右方向に幅広に構成され、
前記天部材は、前記温水装置の左右幅と略同一の幅を有する本体部と、前記パレット部材の左右幅と略同一の幅を有する緩衝部とを備え、
前記緩衝部は、前記天部材の本体部の左右両端から外側へ突出する1対の緩衝機能部であって、段ボール材を巻いた角筒体からなる1対の緩衝機能部を有する、
ことを特徴とする温水装置の包装構造。
【請求項２】
前記緩衝部が、前記天部材の本体部とは別部材であって、前記本体部の上端面を覆う天板部を備えた別部材として構成され、前記1対の緩衝機能部が前記天板部に一体的に設けられていることを特徴とする請求項１に記載の温水装置の包装構造。
【請求項３】
前記1対の緩衝機能部は、前記天板部の左右両端部の前後方向中央部分に設けられ、前記天板部の前側部分と後側部分に、バンド部材で締め付けられるバンド対応部が形成されていることを特徴とする請求項２に記載の温水装置の包装構造。
【発明の詳細な説明】
【技術分野】
【０００１】
本発明は温水装置の包装構造に関し、特に幅広のパレット部材に載置固定した温水装置の包装構造に関する。
【背景技術】
【０００２】
従来から、湯水を供給する為の温水装置として、ヒートポンプなどの熱源機ユニットと、この熱源機ユニットに配管接続され湯水を貯える貯湯タンクユニットとから構成された温水装置がある。このような温水装置には、熱源機ユニットと貯湯タンクユニットを個々の外装ケース内に夫々収納した別体型のものや、共通の外装ケース内に一体的に組み込まれた一体型のものがあり、通常、熱源機ユニットや貯湯タンクユニットは軒下などの屋外のスペースに設置される。
【０００３】
ところで、昨今の温水装置は、屋外の狭小スペースに設置可能なように、例えば前後幅よりも左右幅を極力小さくした構成が求められている。そのため、左右幅を極力小さくする分、温水装置が高さ方向に延びてしまう。この温水装置を生産工場より納入先へ輸送する場合、温水装置をパレット部材の上面に縦向きに載置してボルトやビスにより固定し、表面が損傷しないように段ボール材などで包装した状態で輸送する。納入先において保管中にも、温水装置をパレット部材を介して自立状態に維持する。かなりの重量物である温水装置を安定的に自立させるために、前記パレット部材の前後幅は、温水装置と略同一の幅に設定することが多いが、パレット部材の左右幅もある程度大きく設定しておかないと、温水装置を安定的に自立状態に維持できない場合もある。
【０００４】
例えば、引用例１の包装装置は、上面に電気温水器などの被包装体が固定されるパレット部材（底部スキッド）と、パレット部材に固定された被包装体の上部から被せる角筒体と、底面が開放された箱体内部に被包装体の上部を保護する緩衝材が設けられ且つ被包装体の上部に被せる上部箱体と、角筒体及び上部箱体からなる包装箱の側面を接地させた場合に、緩衝材と当接する上部箱体の外面接地部位に、取り外し可能に設けられたカバー部材とを備え、カバー部材の一部を含めて外周をバンドで締結して一体化している。
【先行技術文献】
【特許文献】
【０００５】
【特許文献１】特開２００６−２９８３８３号公報
【発明の概要】
【発明が解決しようとする課題】
【０００６】
左右幅が小さな偏平な形状に形成された温水装置であって、かなりの高さを有する温水装置の場合、特許文献１に記載のように、温水装置の底面とほぼ同サイズのパレット部材（底部スキッド）を採用する場合には、温水装置を自立させた状態での安定性を確保できない。そこで、パレット部材の左右幅を温水装置の左右幅よりも大きく設定することになる。しかし、この温水装置の左右幅がパレット部材の幅よりも狭くなると、輸送時に複数の温水装置をトラックなどの荷台に並べて積み込んだ場合、隣接する温水装置との間に隙間が生じてしまう。そのため、輸送中のトラックの急停止や振動などで温水装置の上部が揺れ動き、隣接する温水装置に倒れかかって損傷したり、相手側の温水装置を損傷させる虞がある。
【０００７】
従来では、上記の温水装置間の隙間を塞ぐために、運送業者が隙間に緩衝材を入れるなどの対策を講じていたが、緩衝材の材料費と着脱コストのため輸送コストが高価になるという問題があった。そこで、温水装置の外周を覆う包装材の左右幅をパレット部材の左右幅に一致させることも考えられるが、その場合、多量の包装材や緩衝材が必要となり、これら包装材や緩衝材による廃材が多量に発生するという問題もある。
【０００８】
本発明の目的は、輸送中における温水装置の移動や揺動を防止可能な温水装置の包装構造を提供すること、輸送コストを低減可能な温水装置の包装構造を提供することなどである。
【課題を解決するための手段】
【０００９】
請求項１の温水装置の包装構造は、前後幅とこの前後幅よりも小さい左右幅とを有する外形が直方体形状の温水装置の包装構造であって、前記温水装置を載置固定する為のパレット部材と、温水装置の上部を覆う天部材とを有する温水装置の包装構造において、前記パレット部材は、前記温水装置の左右幅よりも左右方向に幅広に構成され、前記天部材は、前記温水装置の左右幅と略同一の幅を有する本体部と、前記パレット部材の左右幅と略同一の幅を有する緩衝部とを備え、前記緩衝部は、前記天部材の本体部の左右両端から外側へ突出する1対の緩衝機能部であって、段ボール材を巻いた角筒体からなる1対の緩衝機能部を有する、ことを特徴としている。
【００１０】
請求項２の温水装置の包装構造は、請求項１の発明において、前記緩衝部が、前記天部材の本体部とは別部材であって、前記本体部の上端面を覆う天板部を備えた別部材として構成され、前記1対の緩衝機能部が前記天板部に一体的に設けられていることを特徴としている。
【００１１】
請求項３の温水装置の包装構造は、請求項２の発明において、前記1対の緩衝機能部は、前記天板部の左右両端部の前後方向中央部分に設けられ、前記天板部の前側部分と後側部分に、バンド部材で締め付けられるバンド対応部が形成されていることを特徴としている。
【発明の効果】
【００１２】
請求項１の発明によれば、パレット部材は、温水装置の左右幅よりも幅広に構成され、天部材は、温水装置の左右幅と略同一の幅を有する本体部と、パレット部材の左右幅と略同一の幅を有する緩衝部とを備えているので、この緩衝部により、温水装置の転倒を防止することができる。すなわち、輸送時に包装状態の複数の温水装置を整列させた状態で、緩衝部の緩衝機能部(これは段ボールを巻いた角筒体からなる)が隣接する緩衝部とほぼ当接状態になるので、車両の急停止や走行中の振動による揺れが発生しても、温水装置の移動や揺動を防止でき、温水装置が隣接する温水装置に接触して損傷するのを防止することができる。
【００１３】
請求項２の発明によれば、緩衝部が、天部材の本体部とは別部材であって、前記本体部の上端面を覆う天板部を備えた別部材として構成され、前記1対の緩衝機能部が前記天板部に一体的に設けられているので、緩衝部を既存の天部材に追加的に取付けることができる。依って、既存の包装仕様を大幅に変更することなく、軽量で簡単な構造の緩衝部を設けることができ、輸送コストを低減できる。
【００１４】
請求項３の発明によれば、前記1対の緩衝機能部は、前記天板部の左右両端部の前後方向中央部分に設けられ、前記天板部の前側部分と後側部分に、バンド部材で締め付けられるバンド対応部が形成されているため、緩衝機能部の落下やズレを確実に防止することができる。
【図面の簡単な説明】
【００１５】
【図１】温水装置とその包装構造の斜視図である。
【図２】温水装置とその包装構造の側面図である。
【図３】温水装置とその包装構造の分解斜視図である。
【図４】包装構造の緩衝部の平面図である。
【図５】包装構造の緩衝部の側面図である。
【図６】包装構造の緩衝部の正面図である。
【図７】包装構造の緩衝部を展開した裏面図である。
【図８】変更形態に係る温水装置とその包装構造の斜視図である。
【発明を実施するための形態】
【００１６】
以下、本発明を実施するための形態について実施例に基づいて説明する。
【実施例】
【００１７】
先ず、本発明の包装構造１０が適用される温水装置について説明する。
図１〜図３に示すように、本実施例の温水装置１は、温水を発生させる補助熱源機と、給湯用温水を貯える貯湯タンクと、ホンプとセンサ類と配管・配管継手類を含む補機類と、制御ボックスなどを有する。温水装置１の後部に円筒状の貯湯タンクが配設されて外装ケース２，３で覆われ、温水装装置１の前部の上部と中段部に前記の補助熱源機と補機類と制御ボックスとが配設され、外装ケース２で覆われている。尚、図１に矢印で示す前後左右を前後左右として説明する。図１に示すように、温水装置１は、前後幅と、この前後幅よりも小さな左右幅を有する外形が直方体形状のものである。
【００１８】
図１〜図３に示すように、外装ケース２を支持する脚部材４を備え、温水装置１の下端部には、温水装置１を後述するパレット部材１１に固定するための１対のベース部材６が設けられている。１対のベース部材６の上面には、ケーブルや説明書などの付属品を収容可能な矩形状の収納ケース１４が配置されている。
【００１９】
次に、温水装置１の包装構造１０について説明する。
図１〜図３に示すように、この包装構造１０は、温水装置１を載置固定する為のパレット部材１１、温水装置１の前後両側部を覆う１対のカバー部材１２、温水装置１の上部を覆う天部材１３などを有し、これら構成部材は温水装置１の外周の大部分を覆うように取り付けられている。尚、図１，図２は、温水装置１の包装状態を示している。
【００２０】
次に、パレット部材１１について説明する。
図１〜図３に示すように、パレット部材１１は、木製部材を井桁状に組み合わせたものである。パレット部材１１の前後幅は、温水装置１の前後幅よりも僅かに大きく設定され、パレット部材１１の左右幅は温水装置１の左右幅よりも大きく設定されている。
【００２１】
具体的に、パレット部材１１は、前後方向に延びる平板状の１対の下板部材１１ａと、これら１対の下板部材１１ａの上に配置されて左右方向に延びる３つの角部材１１ｂと、これら３つの角部材１１ｂの上に配置された前後方向に延びる１対の上板部材１１ｃとで構成されている。
【００２２】
温水装置１をパレット部材１１に固定する場合、１対のベース部材６を対応する１対の上板部材１１ｃに載置して、４本のボルト６ａ（又はビス）をベース部材６の挿通孔と上板部材１１ｃの挿通孔に夫々挿通して、ボルト６ａの先端部を左右両側の角部材１１ｂの４つのボルト孔に螺合することで、温水装置１をパレット部材１１に固定する。尚、本実施例では、例えば、パレット部材１１の左右幅は約４７０ｍｍ、前後幅は約８１０ｍｍに設定され、温水装置１の左右幅は約３１０ｍｍに設定されている。
【００２３】
次に、１対のカバー部材１２について説明する。
図１〜図３に示すように、１対のカバー部材１２は、厚紙状の段ボール材でもって側方開口状の平面視コ字状に夫々構成され、温水装置１の上下方向に沿うように縦方向に延びている。１対のカバー部材１２の上下方向の全長は温水装置１の全長と略同一に設定されている。１対のカバー部材１２は、温水装置１の前側部分と後側部分とを覆い保護するように装着される。１対のカバー部材１２の上端部分は、後述する天部材１３の内側に挿入される。
【００２４】
次に、天部材１３について説明する。
図１〜図３に示すように、天部材１３は、温水装置１の左右幅と略同一の幅を有する本体部１５と、この本体部１５とは別部材で構成され、パレット部材１１の左右幅と略同一の幅を有する緩衝部１６とを備えている。この天部材１３の本体部１５は、温水装置１の上部を包装し保護するものであり、 緩衝部１６は、温水装置１の輸送中における温水装置１の移動や揺動を防止する為のものである。
【００２５】
本体部１５は、段ボール材から下方開放状の箱体に構成されている。本体部１５の前後幅は温水装置１の前後幅と略同一の幅に設定され、本体部１５の左右幅は温水装置１の左右幅と略同一の幅に設定されている。本体部１５の内側には、温水装置１の上部と本体部１５との間に生じる隙間を緩衝する内側緩衝部材１７が設けられている。
【００２６】
図３に示すように、内側緩衝部材１７は、下方に開口状の側面視コ字状に構成され、その４隅近傍部には段ボール材を積層した緩衝用の積層体１７ａが固着されている。内側緩衝部材１７は、各積層体１７ａの下端面を温水装置１の上端面の４隅近傍部に載置するように温水装置１の上部に外嵌することで、温水装置１の天上部分の空間を確保する。内側緩衝部材１７の上端面の左右両端部には、１対の天パット１８が前後方向の全長に亙って取り付けられ、この１対の天パット１８を介して内側緩衝部材１７は本体部１５の内側に組付けられる。このように、本体部１５は、内側緩衝部材１７を介在させた状態で、温水装置１の上部（上端部分）に外嵌可能なサイズに構成されている。つまり、本体部１５は温水装置１の上部（上端部分）に、内側緩衝部材１７の厚みに対応する所定隙間を空けて外嵌可能に構成されている。
【００２７】
次に、緩衝部１６について説明する。
図１〜図７に示すように、この緩衝部１６は、複数の温水装置１を納入先へ輸送する際に、複数の温水装置１をトラックの荷台上に列状に配列した状態で、温水装置１の移動や揺動を防止する為のものである。この緩衝部１６は段ボール材から構成され、緩衝部１６の左右幅は、パレット部材１１の左右幅とほぼ同一の幅に設定されている。
【００２８】
緩衝部１６は、天板部２１と、この天板部２１の左右方向の両端部に一体的に設けられた１対の緩衝機能部２２とを有する。天板部２１が本体部１５にバンド部材１９ａを介して取り付けられた状態では、１対の緩衝機能部２２の温水装置１側の側面が本体部１５の左右両側面に夫々当接する。
【００２９】
天板部２１は前後方向に細長い矩形状に形成され、天板部２１の前後幅は温水装置１の前後幅とほぼ同一の幅に設定され、天板部２１の左右幅は本体部１５の左右幅よりも僅かに小さく設定され且つ天板部２１の左右幅は温水装置１の左右幅とほぼ同一の幅に設定されている。天板部２１は本体部１５の上端面に載置されている。
【００３０】
天板部２１の左端部の長さ方向の中央部分には、天板部２１の前後幅の約１／２の長さの緩衝機能部２２が一体形成され、天板部２１の右端部の長さ方向の中央部分には、天板部２１の前後幅の約１／２の長さの緩衝機能部２２が一体形成されている。
【００３１】
１対の緩衝機能部２２が結合された部分を除いて、天板部２１の前側部分と後側部分には、複数のバンド部材１９ａで締め付けられるバンド対応部２１ａが形成されている。
天板部２１の前後幅を緩衝機能部２２の前後幅より長くして、天板部２１に緩衝機能部２２と干渉しないバンド対応部２１ａを設けることで、従来の仕様と同様のバンド部材１９ａによる締結構造を適用することができる。
【００３２】
１対の緩衝機能部２２は、段ボール材を巻いた角筒体に夫々構成されている。各緩衝機能部２２は、その上端面が天板部２１の上端面と同一平面上に位置するように天板部２１に一体形成されている。１対の緩衝機能部２２の左右幅の合計は、パレット部材１１の左右幅と本体部１５の左右幅との差と略同一に設定されている。本実施例では、例えば、前記の左右幅の合計は約１６０ｍｍに設定されている。各緩衝機能部２２は、斜辺状の斜辺板部２２ａを有し、各緩衝機能部２２の強度を高めている。
【００３３】
図２に示すように、パレット部材１１の左右幅と、緩衝部１６の左右幅とがほぼ等しく設定されているため、複数の温水装置１を左右方向に整列させた状態では、緩衝機能部２２は、隣接する温水装置１の包装構造１０の緩衝機能部２２に当接する。
従って、輸送中のトラックの停止時の慣性力や振動などが温水装置１に作用しても、緩衝機能部２２が隣接する緩衝機能部２２と当接しているので、温水装置１を鉛直姿勢に安定的に維持することができ、複数の温水装置１を安全に輸送することができる。
【００３４】
次に、複数のバンド部材１９ａ，１９ｂについて説明する。
図１に示すように、温水装置１に１対のカバー１２と天部材１３とを装着した状態において、温水装置１の前部に縦巻き状態に掛け回す２本のバンド部材１９ａと、温水装置１の後部に縦巻き状態に掛け回す２本のバンド部材１９ａと、温水装置１の中段部に水平に掛け回す１本のバンド部材１９ｂとが設けられている。
【００３５】
温水装置１の前部を縛る２本のバンド部材１９ａは、天板部２１の前側のバンド対応部２１ａを締め付け、また、後部を縛る２本のバンド部材１９ａは、天板部２１の後側のバンド対応部２１ａを締め付ける。これら４本のバンド部材１９ａにより、天部材１３は温水装置１に対して固定される。１本のバンド部材１９ｂは４本のバンド部材１９ａの内周側に配置され、このバンド部材１９ｂにより、１対のカバー部材１２が温水装置１に対して固定される。
【００３６】
次に、緩衝部１６の１対の緩衝機能部２２の構造と組立て方法について説明する。
図７に示すように、緩衝部１６は、１枚のほぼ十文字形の段ボール材を折り曲げて１対の緩衝機能部２２を形成するようになっている。図７は、展開状態の緩衝部１６の裏面図である。緩衝機能部２２を形成する展開部分２５には、複数の折り線２６ａ〜２６ｅ、複数の切り取り線２７が設けられている。１対の緩衝機能部２２は、同じ構成のものであるので、以下の説明では、左側の緩衝機能部２２の組立て方法について説明する。
【００３７】
展開部分２５は、左側から右側に順に並んだ複数の折り線２６ａ〜２６ｅにより、斜辺板部２２ａと、組立て時に上板部２２ｆの下側に位置する内側板部２２ｂと、温水装置１側の側面を形成する当接板部２２ｃと、下端面を形成する下板部２２ｄと、温水装置１と反対側の外側板部２２ｅと、上端面を形成する上板部２２ｆとに区画されている。
【００３８】
図７に示すように、展開部分２５の斜辺板部２２ａの端部には、突出する１対の嵌合爪部２８ａが形成され、折れ線２６ｃの近傍部には、１対の嵌合爪２８ａを嵌合させる１対の嵌合溝部２８ｂが形成されている。展開部分２５の上板部２２ｆには、切り取り線２７で分断されて屈曲状に切り起こされる１対の係合爪部２９ａが形成され、折れ線２６ｂの近傍部には、１対の係合爪部２９ａを係合させる為の細長い１対の係合孔２９ｂが形成されている。
【００３９】
緩衝機能部２２を組み立てる場合、先ず、折り線２６ａを図７の紙面手前側に１３５度折り曲げ、次に、折り線２６ｂを紙面手前側に９０度折り曲げると、１対の嵌合爪部２８ａが折り線２６ｃの近傍部に到達する。この１対の嵌合爪部２８ａを１対の嵌合溝部２８ｂに上方から挿入して嵌合爪部２８ａの先端部を下方へ突出させて、緩衝機能部２２の内側の傾斜板部２２ａを組み立てる。
【００４０】
次に、折り線２６ｃ、折り線２６ｄ、折り線２６ｅを順次図７の紙面手前側に９０度ずつ折り曲げていくと、展開部分２５は角筒体に組み立てられ、１対の係合孔２９ｂが１対の係合爪部２９ａの上方に位置する。１対の係合爪部２９ａを切り起こして上方に９０度折り曲げて１対の係合孔２９ｂに挿入することで、角筒体からなる緩衝機能部２２が組み立てられる。尚、係合爪部２９ａの先端部分の幅が、係合孔２９ｂの長手方向の幅よりも長いため、係合爪部２９ａを係合孔２９ｂに一度挿入すると、係合爪部２９ａが係合孔２９ｂに強固に係合されて、緩衝機能部２２の角筒形状を維持することができる。
【００４１】
本発明の温水装置の包装構造１０の作用、効果について説明する。
この包装構造１０によれば、パレット部材１１は、温水装置１の左右幅よりも左右方向に幅広に構成され、天部材１３は、温水装置１の左右幅と略同一の左右幅を有する本体部１５と、パレット部材１１の左右幅と略同一の幅を有する緩衝部１６とを備えているので、この緩衝部１６により、輸送中における温水装置１の移動や揺動を防止することができる。すなわち、輸送時に複数の包装状態の温水装置１を左右方向に列状に整列させた状態では、緩衝部１６が隣接する温水装置１の緩衝部１６と当接するので、輸送用のトラックの急停止による慣性力や走行中の振動が作用しても、緩衝部１６が隣接する緩衝部１６と当接しているため、温水装置１の移動や揺動が確実に防止され、温水装置１が隣接する温水装置１に接触して損傷したり、相手側の温水装置１を損傷したりするのを確実に防止することができる。尚、温水装置１とパレット部材１１の前後方向の幅は大きいので、前後方向揺動に対する安定性は確保されている。
【００４２】
また、この包装構造１０によれば、緩衝部１６が、天部材１３の本体部１５とは別部材として構成されているので、緩衝部１６を既存の天部材１３の上面に載置するだけの簡単な手順で取付けることができるため、既存の包装仕様を大幅に変更することなく、緩衝部１６を適用可能であり、緩衝部１６は軽量で簡単な構成のものであるため、安価に製作可能で輸送コストを低減することができる。使用済みの本体部１５や緩衝部１６から発生する廃棄物の量も比較的少量である。
【００４３】
さらに、この包装構造１０によれば、本体部１５の上端面に載置された天板部２１と、この天板部２１の両端部に一体的に設けられた１対の緩衝機能部２２とを備え、１対の緩衝機能部２２で本体部１５の上端部を左右両側から挟持する構成であるので、緩衝機能部２２の落下やズレを確実に防止することができる。
【００４４】
次に、前記実施例の温水装置の包装構造を部分的に変更する例について説明する。
［１］図８に示すように、包装構造１０Ａの天部材１３Ａにおいて、緩衝部１６Ａは、天板部２１が省略されて、１対の緩衝機能部２２Ａで構成されている。１対の緩衝機能部２２Ａは、夫々、本体部１５の左右両側面の上端部に直接固着されている。但し、緩衝機能部２２Ａの取付箇所は本体部１５の上端部に限らず、本体部１５の中段部や下段部に取り付けても良い。この構成によれば、１対の緩衝機能部２２Ａを既存の天部材１３の左右両側面に直接取付けることができるため、実施例と同様に既存の包装仕様を大幅に変更することなく、適用可能である。尚、本体部１５の左右の両面に夫々複数の緩衝機能部２２Ａを設けることもできる。
【００４５】
［２］緩衝機能部２２，２２Ａは、角筒体に夫々構成されているが、特にこの形状に限定する必要はなく、段ボール材を複数枚積層して角柱状に構成してもよいし、厚紙製のパイプ材を採用してもよく、その他の形状に構成してもよい。また、１対の緩衝機能部２２を段ボール部材から構成することに限定する必要はなく、隣接する温水装置１との間で本発明と同様の緩衝機能を奏するものであれば、発泡スチロールなどの合成樹脂材料から構成したものでもよいし、木製のものでもよい。
【００４６】
［３］本実施例の温水装置１は、補助熱源機を有するものを例として説明したが、温水装置１は、貯湯タンクユニットとヒートポンプユニットを外装ケース内に一体的に組み込んだものであってもよい。
【００４７】
［４］本実施例の緩衝機能部２２の構造において、１対の係合爪部２９ａと１対の係合孔２９ｂを逆の構造にしても良い。つまり、折り線２６ｂの近傍部に切り取り線により１対の係合爪部を形成し、上板部２２ｆに１対の係合孔を形成し、緩衝機能部２２を組み立てる際に１対の係合爪部を上板部２２ｆの上方から１対の係合孔に挿入して角筒体を形成するようにしても良い。
【００４８】
［５］その他、当業者であれば、本発明の趣旨を逸脱することなく、前記実施例の種々の変更を付加した形態で実施可能で、本発明はそのような変更形態を包含するものである。
【符号の説明】
【００４９】
１    温水装置
１０，１０Ａ  包装構造
１１  パレット部材
１３，１３Ａ  天部材
１５  本体部
１６，１６Ａ  緩衝部
２１  天板部
２１ａ  バンド対応部
２２，２２Ａ  緩衝機能部
【図１】
0005858213.tif 000002
【図２】
0005858213.tif 000003
【図３】
0005858213.tif 000004
【図４】
0005858213.tif 000005
【図５】
0005858213.tif 000006
【図６】
0005858213.tif 000007
【図７】
0005858213.tif 000008
【図８】
0005858213.tif 000009